(57)【要約】【課題】ネットワーク中継器の室内機への収納作業と制御基板との接続作業とを同時に行うことができる、ネットワーク中継器を提供する。【解決手段】ネットワーク中継器１は、空気調和機の室内機１０，１００に搭載される。ネットワーク中継器１は、対向する２つの面２ｅ，２ｆを有する外殻２と、外殻２の内部に収容される電子部品９とを備える。２つの面の２ｅ，２ｆうちいずれか一方の面２ｅは、外殻２の外側に指掛け部３を有する。【選択図】図１
2020020519.tif 000002
【特許請求の範囲】
【請求項１】
空気調和機の室内機に搭載されるネットワーク中継器であって、
対向する２つの面を有する外殻と、該外殻の内部に収容される電子部品とを備え、
前記２つの面のうちいずれか一方の面は、前記外殻の外側に指掛け部を有することを特徴とするネットワーク中継器。
【請求項２】
前記指掛け部は、前記一方の面から突出していることを特徴とする請求項１に記載のネットワーク中継器。
【請求項３】
前記２つの面のうち他方の面は、前記外殻の外側に指滑り止め部を有することを特徴とする請求項１又は２に記載のネットワーク中継器。
【請求項４】
前記指滑り止め部は、前記他方の面から前記外殻の内側に凹んだ凹み部と凸部とにより形成されることを特徴とする請求項３に記載のネットワーク中継器。
【請求項５】
前記一方の面に、前記室内機に形成されたネットワーク中継器収納空間に挿入する際の逆差し防止突起を設けたことを特徴とする請求項１乃至４のうちいずれか一項に記載のネットワーク中継器。
【発明の詳細な説明】
【技術分野】
【０００１】
本発明は、空気調和機の室内機に搭載されるネットワーク中継器に関する。
【背景技術】
【０００２】
近年、無線で通信する機能を空気調和機に持たせるために、ネットワーク中継器を搭載した空気調和機の室内機が提案されている。ネットワーク中継器は、空気調和機の室内機に内蔵された制御基板に接続され、空気調和機のエネルギー管理、遠隔操作等に用いられる信号を、無線通信により外部のネットワークとの間で送受信する。
ネットワーク中継器を搭載した空気調和機の室内機として、従来、例えば特許文献１に示す空気調和機の室内機が知られている。
この特許文献１に示す空気調和機の室内機において、ネットワーク中継器を搭載するに際しては、前面パネル及び開口部を有する壁部を取り除いた状態でネットワーク中継器が収納される空間にネットワーク中継器を収納し、当該ネットワーク中継器と制御基板とをケーブルで接続した後、壁部を取付け、更に前面パネルを取り付けるようにしている。
【先行技術文献】
【特許文献】
【０００３】
【特許文献１】特許第６２７０６５８号公報
【発明の概要】
【発明が解決しようとする課題】
【０００４】
しかしながら、この従来の特許文献１に示した空気調和機の室内機において、ネットワーク中継器の収納作業と制御基板との接続作業とが別々に行われており、作業性が悪いという課題があった。
従って、本発明はこの課題を解決するためになされたものであり、その目的は、室内機への収納作業と制御基板との接続作業とを同時に行うことができる、ネットワーク中継器を提供することにある。
【課題を解決するための手段】
【０００５】
上記課題を解決するために、本発明の一態様に係るネットワーク中継器は、空気調和機の室内機に搭載されるネットワーク中継器であって、対向する２つの面を有する外殻と、該外殻の内部に収容される電子部品とを備え、前記２つの面のうちいずれか一方の面は、前記外殻の外側に指掛け部を有することを要旨とする。
【発明の効果】
【０００６】
本発明に係るネットワーク中継器によれば、ネットワーク中継器の室内機への収納作業と制御基板との接続作業とを同時に行うことができる、ネットワーク中継器を提供できる。
【図面の簡単な説明】
【０００７】
【図１】本発明の一実施形態に係るネットワーク中継器を示し、（ａ）は表側斜め前方から見た斜視図、（ｂ）は裏面側斜め後方から見た斜視図、（ｃ）は表側斜め後方から見た斜視図である。
【図２】図１に示すネットワーク中継器が搭載されたスロットイン式搭載部を有する空気調和機の室内機の斜視図である。
【図３】図２に示すスロットイン式搭載部を有する空気調和機の室内機のネットワーク中継器の搭載部の斜視図であり、ネットワーク中継器をネットワーク中継器収納空間に挿入する初期段階を示している。
【図４】図２に示すスロットイン式搭載部を有する空気調和機の室内機のネットワーク中継器の搭載部の斜視図であり、ネットワーク中継器をネットワーク中継器収納空間に挿入した最終段階を示している。
【図５】図１に示すネットワーク中継器をネットワーク中継器収納空間に挿入する様子を示すもので、（ａ）は当該ネットワーク中継器をスロットイン式搭載部を有する空気調和機のネットワーク中継器収納空間に挿入する様子を示す図、（ｂ）は当該ネットワーク中継器を横スライド式搭載部を有する空気調和機のネットワーク中継器収納空間に挿入する様子を示す図である。
【図６】対向する２つの面に指掛け部を設けたネットワーク中継器をネットワーク中継器収納空間に挿入する様子を示すもので、（ａ）は当該ネットワーク中継器をスロットイン式搭載部を有する空気調和機のネットワーク中継器収納空間に挿入する様子を示す図、（ｂ）は当該ネットワーク中継器を横スライド式搭載部を有する空気調和機のネットワーク中継器収納空間に挿入する様子を示す図である。
【図７】図２に示す室内機のネットワーク中継器の搭載部の正面図である。
【図８】図７におけるＸ−Ｘ線に沿う断面図である。
【図９】図８におけるＹ−Ｙ線に沿う断面図である。
【図１０】図１に示すネットワーク中継器をスロットイン式搭載部を有する空気調和機のネットワーク中継器収納空間に表裏を逆にした逆ざしする場合の図８と同様の断面図である。
【図１１】図１に示すネットワーク中継器をスロットイン式搭載部を有する空気調和機のネットワーク中継器収納空間に表裏を逆にした逆ざしする場合の図９と同様の断面図である。
【図１２】図１に示すネットワーク中継器をスロットイン式搭載部を有する空気調和機のネットワーク中継器収納空間に前後を逆にした逆ざしする場合の図８と同様の断面図である。
【図１３】図１に示すネットワーク中継器が搭載された横スライド式搭載部を有する空気調和機の室内機の斜視図である。
【図１４】図１３に示す横スライド式搭載部を有する空気調和機の室内機のネットワーク中継器の搭載部の正面図であり、ネットワーク中継器をネットワーク中継器収納空間に挿入する初期段階を示している。
【図１５】図１３に示す横スライド式搭載部を有する空気調和機の室内機のネットワーク中継器の搭載部の正面図であり、ネットワーク中継器をネットワーク中継器収納空間に挿入した最終段階を示している。
【図１６】図１５と同様の横スライド式搭載部を有する空気調和機の室内機のネットワーク中継器の搭載部の正面図であり、ネットワーク中継器をネットワーク中継器収納空間に挿入した最終段階を示している。
【図１７】図１６におけるＸ−Ｘ線に沿う断面図である。
【図１８】図１６におけるＹ−Ｙ線に沿う断面図である。
【図１９】図１に示すネットワーク中継器をス横スライド式搭載部を有する空気調和機のネットワーク中継器収納空間に表裏を逆にした逆ざしする場合の図１７と同様の断面図である。
【図２０】図１に示すネットワーク中継器を横スライド式搭載部を有する空気調和機のネットワーク中継器収納空間に前後を逆にした逆ざしする場合の図１７と同様の断面図である。
【発明を実施するための形態】
【０００８】
以下、本発明の実施形態について図面を参照して説明する。
以下に示す実施形態は、本発明の技術的思想を具体化するための装置や方法を例示するものであって、本発明の技術的思想は、構成部品の材質、形状、構造、配置等を下記の実施形態に特定するものではない。また、図面は模式的なものである。そのため、厚みと平面寸法との関係、比率等は現実のものとは異なることに留意すべきであり、図面相互間においても互いの寸法の関係や比率が異なる部分が含まれている。
【０００９】
図１（ａ），（ｂ），（ｃ）に示すネットワーク中継器１は、図２に示すスロットイン式搭載部を有する空気調和機の室内機１０及び図１３に示す横スライド式搭載部を有する空気調和機の室内機１００の双方に搭載することができる。このネットワーク中継器１は、空気調和機の室内機１０、１００に内蔵された制御基板（図示せず）に接続され、空気調和機のエネルギー管理、遠隔操作等に用いられる信号が、ネットワーク中継器１を介してネットワークに送受信される。
ここで、ネットワーク中継器１は、図１（ａ），（ｂ），（ｃ）に示すように、前面２ａ、後面２ｂ、右側面２ｃ、左側面２ｄ、上面２ｅ、及び下面２ｆを有する扁平な四角柱状の外殻２と、外殻２の内部に収容される電子部品９とを備えている。
【００１０】
そして、ネットワーク中継器１の外殻２の対向する２つの面としての上面２ｅと下面２ｆのうちいずれか一方の面としての上面２ｅの後縁には、外殻２の外側に指掛け部３が設けられている。指掛け部３は、外殻２の上面２ｅから突出している。また、指掛け部３は、外殻２の左右幅方向の全域にわたって延びている。このように、指掛け部３は、外殻２の上面２ｅから突出していることで、ネットワーク中継器１をネットワーク中継器収納空間１２ａ（図８参照）、１０６（図１７参照）に挿入する際に、作業者が容易に指を掛けることができる。
【００１１】
また、ネットワーク中継器１の外殻２の対向する上面２ｅと下面２ｆのうちの下面２ｆの後端部には、外殻２の外側に指滑り止め部５が設けられている。指滑り止め部５は、下面２ｆから外殻２の内側に凹んだ凹み部５１と凸部５２とにより形成されている。指滑り止め部５は、外殻２の下面２ｆの後端部の左右方向中央部において半円形状に形成される。
また、ネットワーク中継器１の外殻２の前面２ａには、内部に収容された電子部品９と接続された雌型コネクタ部８が設けられている。
【００１２】
更に、ネットワーク中継器１の外殻２の上面２ｅには、室内機１０、１００に形成されたネットワーク中継器収納空間１２ａ（図８参照）、１０６（図１７参照）に挿入する際の逆差しを防止するための一対の逆差し防止突起４が設けられている。各逆差し防止突起４は、外殻２の上面の左側縁と右側縁のそれぞれに設けられている。また、各逆差し防止突起４は、外殻２の前面２ａと後面２ｂとの間でやや後面２ｂ寄りの部分に設けられている。
【００１３】
また、ネットワーク中継器１の外殻２の上面２ｅには、取り付け前に必要な情報Ａ及び取り付け後に必要な情報Ｂを表示した第１ラベル６が貼付されている。取り付け前に必要な情報Ａは、商品名、製造番号、ＦＣＣＩＤ等の販売者にとって必要な情報である。また、取り付け後に必要な情報Ｂは、ネットワーク中継器１と前述のネットワークに接続された通信機器（いわゆるルータ）とを無線で接続するために必要となるネットワーク中継器の名前（ＳＳＩＤ）やパスワード（暗号キー）などのユーザー及び作業者にとって必要な情報である。なお、情報Ａ及び情報Ｂはネットワーク中継器１の外殻２の上面２ｅに貼付された第１ラベル６に表示されているが、印刷等により外殻２に直接表示するようにしてもよい。
【００１４】
ここで、第１ラベル６を外殻２の上面２ｅに貼付するに際し、取り付け後に必要な情報Ｂが、ネットワーク中継器１を横スライド式搭載部を有する室内機１００のネットワーク中継器収納空間１０６に挿入して取り付けした後に視認可能な位置となるように、図１（Ａ）に示すように、取り付け後に必要な情報Ｂを外殻２の後面２ｂ側に位置させ、取り付け前に必要な情報Ａは取り付けた後に視認されない外殻２の前面２ａ側に位置させるようにする。
【００１５】
そして、第１ラベル６の取り付け前に必要な情報Ａを表示した部分と取り付け後に必要な情報Ｂを表示した部分との間には、挿入規制線６ａが引かれている。第１ラベル６を外殻２の上面２ｅに貼付するに際し、図１（Ａ）に示すように、挿入規制線６ａが逆差し防止突起４の前端縁と前後方向においてほぼ一致する位置となるように貼付する。挿入規制線６ａの作用については後述する。
また、ネットワーク中継器１の外殻２の後面２ｂには、取り付け後に必要な情報Ｂがネットワーク中継器１をスロットイン式搭載部を有する室内機１０のネットワーク中継器収納空間１２ａに挿入して取り付けた後に視認可能となるように、取り付け後に必要な情報Ｂを記載した第２ラベル７が貼付されている。
【００１６】
次に、ネットワーク中継器１を搭載するスロットイン式搭載部を有する空気調和機の室内機１０及びその搭載方法について、図２乃至図１２を参照して説明する。
図２は、ネットワーク中継器１が搭載されたスロットイン式搭載部を有する空気調和機の室内機１０の斜視図であり、この室内機１０は、図示しない送風ファン、熱交換器、電気部品収納部材を取り付けたドレパン組立体等を収容した筐体１１を備えている。筐体１１の前側の壁部１２は、左右方向に長く延びる形状を有し、前面パネル１３によって覆われる。そして、壁部１２の右端上方側には、ネットワーク中継器１が配置されている。以下、ネットワーク中継器１が配置されている箇所を「ネットワーク中継器の搭載部」という。
【００１７】
壁部１２におけるネットワーク中継器１の搭載部には、図８に示すように、前後方向に延び、前方に開口するネットワーク中継器収納空間１２ａが形成されている。ネットワーク中継器収納空間１２ａには、図示しない制御基板に接続された雄型コネクタが配置されている。
そして、壁部１２におけるネットワーク中継器１の搭載部には、図３、図４、図７及び図８に示すように、ネットワーク中継器収納空間１２ａの前方にカバー部材１４が取り付けられる。カバー部材１４は、図３、図４、図７及び図８に示すように、ネットワーク中継器収納空間１２ａに通じる開口部１４ｂを有する底部１４ａを備えている。底部１４ａは、後側に一段凹んだ段差部１４ｃを備え、開口部１４ｂは段差部１４ｃにおいて前後方向に貫通するように形成されている。開口部１４ｂは、ネットワーク中継器１の外殻２の挿通を許容する大きさに形成される。また、段差部１４ｃには、図８に示すように、ネットワーク中継器１がネットワーク中継器収納空間１２ａに正規の状態で挿入されるとき（言い換えれば、ネットワーク中継器収納空間１２ａの開口部１４ｂに対して、ネットワーク中継器１の挿入時の表裏の向き（図７、図８に示す左右方向の向き）が正しい状態で挿入されるとき）に、ネットワーク中継器１に設けられた逆差し防止突起４の通過を許容する貫通溝１４ｄが形成されている。
【００１８】
そして、ネットワーク中継器１を室内機１０に搭載するに際しては、図３及び図５に示すように、作業者がネットワーク中継器１の上面２ｅに形成された指掛け部３に指を掛けつつ他方の下面２ｆを押えてネットワーク中継器１の前面２ａ側を先頭にしてカバー部材１４の開口部１４ｂからネットワーク中継器収納空間１２ａ内に挿入する。すると、図４、図８及び図９に示すように、ネットワーク中継器１がネットワーク中継器収納空間１２ａに収納される。このとき、ネットワーク中継器収納空間１２ａに配置された雄型コネクタに、ネットワーク中継器１の雌型コネクタ部８が嵌合して接続される。これにより、ネットワーク中継器１と制御基板とが接続される。
従って、本実施形態に係るネットワーク中継器１によっては、ネットワーク中継器１の室内機１０への収納作業と制御基板との接続作業とを同時に行うことができる。
【００１９】
また、ネットワーク中継器１において、外殻２の下面２ｆは、外殻２の外側に指滑り止め部５を有するので、作業者がネットワーク中継器１の上面２ｅに形成された指掛け部３に指を掛けつつ他方の下面２ｆにある指滑り止め部５を押えてネットワーク中継器１の前端側を先頭にしてカバー部材１４の開口部１４ｂからネットワーク中継器収納空間１２ａ内に挿入することができる。この指滑り止め部５により、指の滑りは抑止されるので、ネットワーク中継器１の挿入をより確実に行うことができる。
また、ネットワーク中継器収納空間１２ａ内には、図８に示すように、ネットワーク中継器１が過剰に押し込まれようとしたときに、ネットワーク中継器１の前面２ａが当接する過度挿入規制部１２ｂが設けられている。従って、ネットワーク中継器１がネットワーク中継器収納空間１２ａに挿入されたときに、ネットワーク中継器１がネットワーク中継器収納空間１２ａ内に過剰に押し込まれることが防止され、過剰な差込によるコネクタの破損を防止することができる。
【００２０】
なお、例えば、外殻２の対向する２つの面として、図６（ｂ）に示すように、上面２ｅ及び下面２ｆの双方が、外殻２の外側に突出する指掛け部３を有すると、後述の横スライド式搭載部を有する空気調和機の室内機１００のネットワーク中継器収納空間１０６内に収納することができない。しかし、本実施形態に係るネットワーク中継器１の場合、図５に示すように、上面２ｅ及び下面２ｆのうちの上面２ｅのみが、外殻２の外側に突出する指掛け部３を有する。このため、本実施形態に係るネットワーク中継器１であれば、スロットイン式搭載部を有する空気調和機の室内機１０のネットワーク中継器収納空間１２ａのみならず、図１３に示す横スライド式搭載部を有する空気調和機の室内機１００のネットワーク中継器収納空間１０６内にも収納することができる。
【００２１】
また、本実施形態に係るネットワーク中継器１の場合、外殻２の上面２ｅに、室内機１０に形成されたネットワーク中継器収納空間１２ａに挿入する際の逆差し防止突起４が設けられている。また、カバー部材１４の段差部１４ｃには、ネットワーク中継器１に設けられた逆差し防止突起４の通過を許容する貫通溝１４ｄが形成されている。このため、ネットワーク中継器１をカバー部材１４の開口部１４ｂからネットワーク中継器収納空間１２ａ内に挿入する際に、表裏を逆さにせずに正規の状態で挿入すれば、逆差し防止突起４が貫通溝１４ｄを通過し、ネットワーク中継器１がネットワーク中継器収納空間１２ａに収納される。
【００２２】
一方、ネットワーク中継器１の表裏を逆さにした状態で開口部１４ｂからネットワーク中継器収納空間１２ａ内に挿入すると、図１０及び図１１に示すように、ネットワーク中継器１に設けられた逆差し防止突起４がカバー部材１４の底部１４ａに当接し、それ以上のネットワーク中継器１の挿入が阻止される。
また、ネットワーク中継器１を前後逆にした状態で開口部１４ｂからネットワーク中継器収納空間１２ａ内に挿入しようとすると、ネットワーク中継器１の後面２ｂ側が先頭になって指掛け部３が外殻２の上面２ｅから突出している分だけネットワーク中継器１の後面２ｂの高さが高くなる。従って、図１２に示すように、ネットワーク中継器１の後面２ｂがカバー部材１４の段差部１４ｃに当接して開口部１４ｂを通過しない。このため、ネットワーク中継器１の前後逆にした逆差しが防止される。
【００２３】
また、ネットワーク中継器１を室内機１０から取り外すときには、作業者がネットワーク中継器１の上面２ｅに形成された指掛け部３に指を掛けつつ下面２ｆを押えてネットワーク中継器１をネットワーク中継器収納空間１２ａから引き出せばよい。これにより、ネットワーク中継器収納空間１２ａに配置された雄型コネクタとネットワーク中継器１の雌型コネクタ部８との嵌合が解除され、ネットワーク中継器１と制御基板との接続状態が解除され、ネットワーク中継器１を室内機１０から取り外すことができる。
【００２４】
次に、ネットワーク中継器１を搭載する横スライド式搭載部を有する空気調和機の室内機１００及びその搭載方法について、図１３乃至図２０を参照して説明する。
図１３は、ネットワーク中継器１が搭載された横スライド式搭載部を有する空気調和機の室内機１００の斜視図であり、この室内機１００は、図示しない送風ファン、熱交換器、電気部品収納部材を取り付けたドレパン組立体等を収容した筐体１０１を備えている。筐体１０１の前側の壁部１０２は、左右方向に長く延びる形状を有し、前面パネル１０３によって覆われる。そして、壁部１０２の右端側には、ネットワーク中継器１の搭載部が配置されている。
【００２５】
壁部１０２におけるネットワーク中継器１の搭載部には、図１４乃至図１８に示すように、前方が開口するネットワーク中継器収容凹部１０４が形成されている。ネットワーク中継器１は、下面２ｆ側からネットワーク中継器収容凹部１０４の開口に向かって収容される。ネットワーク中継器収容凹部１０４に収容されたネットワーク中継器１は、左右方向にスライドされることで、ネットワーク中継器収納空間１０６内に収納される。従って、ネットワーク中継器収容凹部１０４の開口は、ネットワーク中継器１を下面２ｆ側から収容可能な大きさ（上下左右方向方向の幅と前後方向の深さ）を有する。
【００２６】
そして、ネットワーク中継器収容凹部５４の左端壁１０４ａには、図１７に示すように、ネットワーク中継器１が収納されるネットワーク中継器収納空間１０６に通じる開口部１０５が形成され、開口部１０５を介してネットワーク中継器収納空間１０６とネットワーク中継器収容凹部１０４とが連通している。開口部１０５は、ネットワーク中継器１の外殻２の前面２ａ側が左右方向に通過可能なように、外殻２を左右方向（図１７における紙面に対して直交する方向）に沿って切断した断面形状よりもやや大きな矩形状に形成されている。
【００２７】
また、ネットワーク中継器１が収納されるネットワーク中継器収納空間１６（壁部１０２の内部）には、図１８に示すように、制御基板（図示せず）に接続された雄型コネクタ１０７が設けられている。
そして、ネットワーク中継器１を室内機１００に搭載するに際し、先ず、前面パネル１０３を開いた状態で、作業者は、図１４に示すように、ネットワーク中継器１を前面２ａ側を開口部１０５側（左側）に向けてネットワーク中継器収容凹部１０４に収容する。このとき、指掛け部３がネットワーク中継器収容凹部１０４の底に対して上になるようにする。
【００２８】
次いで、作業者は、図１５に示すように、ネットワーク中継器１の後面２ｂ側を押さえつつネットワーク中継器１を開口部１０５（左側）に向けて押圧し、ネットワーク中継器１の前面２ａ側を開口部１０５を通過させてネットワーク中継器収納空間１０６内に挿入する。すると、図１５乃至図１８に示すように、ネットワーク中継器１の前面２ａ側の約半分がネットワーク中継器収納空間１０６に収納される。このとき、ネットワーク中継器収納空間１０６内に配置された雄型コネクタ１０７に、ネットワーク中継器１の雌型コネクタ部８が嵌合して接続される。これにより、ネットワーク中継器１と制御基板とが接続される。
従って、本実施形態に係るネットワーク中継器１によっては、ネットワーク中継器１の室内機１００への収納作業と制御基板との接続作業とを同時に行うことができる。
【００２９】
ここで、前述したように、ネットワーク中継器１において、図５に示すように、上面２ｅ及び下面２ｆのうちの上面２ｅのみが、外殻２の外側に突出する指掛け部３を有する。このため、スロットイン式搭載部を有する空気調和機の室内機１０のネットワーク中継器収納空間１２ａのみならず、図１３に示す横スライド式搭載部を有する空気調和機の室内機１００のネットワーク中継器収納空間１０６内にも収納することができる。
また、ネットワーク中継器１において、外殻２の上面２ｅに、室内機１００に形成されたネットワーク中継器収納空間１０６に挿入する際の逆差し防止突起４が設けられている。逆差し防止突起４は、図１７に示すように、ネットワーク中継器１の前面２ａ側の約半分がネットワーク中継器収納空間１０６に収納されて雄型コネクタ１０７に接続されたときに、ネットワーク中継器収容凹部１０４の左端壁１０４ａに当接する直前の位置に設けられている。このため、ネットワーク中継器１をネットワーク中継器収納空間１０６内に挿入する際に、表裏を逆さにせずに正規の状態で挿入すると、逆差し防止突起４がネットワーク中継器収容凹部１０４の左端壁１０４ａに当接する直前の位置に位置する。これにより、ネットワーク中継器１の過度の挿入が規制され、過剰な差し込みによる接続端子の破損を防止することができる。
【００３０】
また、逆差し防止突起４の上面２ｅからの突出高さは、図１９に示すように、指掛け部３の上面２ｅからの突出高さと同程度である。そして、図１９に示すように、ネットワーク中継器１を表裏を逆さにした逆差しの状態でネットワーク中継器収納空間１０６内に挿入しようとすると、ネットワーク中継器１に設けられた逆差し防止突起４の突出高さ分だけ外殻２の前面２ａの位置が高くなるから、ネットワーク中継器１の外殻２の前面２ａがネットワーク中継器収容凹部１０４の左端壁１０４ａに当接する。これより、それ以上のネットワーク中継器１の挿入が阻止される。
【００３１】
また、図２０に示すように、ネットワーク中継器１を前後を逆さにした逆差しの状態でネットワーク中継器収納空間１０６内に挿入しようとすると、ネットワーク中継器１に設けられた逆差し防止突起４の突出高さ分だけ外殻２の後面２ｂの位置が高くなるから、ネットワーク中継器１の外殻２の後面２ｂがネットワーク中継器収容凹部１０４の左端壁１０４ａに当接する。これより、それ以上のネットワーク中継器１の挿入が阻止される。
更に、横スライド式搭載部を有する室内機１００の場合、前述したように、図１５に示すように、ネットワーク中継器１のネットワーク中継器収納空間１０６への挿入後において、ネットワーク中継器１の前面２ａ側の約半分がネットワーク中継器収納空間１０６に収納され、ネットワーク中継器１の後面２ｂ側の約半分が露出する。このため、ネットワーク中継器１をどこまで挿入してよいかの目印がないと、ネットワーク中継器１の挿入量が不足し、ネットワーク中継器１と制御基板との接続不良を起こすおそれがある。
【００３２】
これに対して、本実施形態のネットワーク中継器１の場合、ネットワーク中継器１において、前述したように、第１ラベル６の取り付け前に必要な情報Ａを表示した部分と取り付け後に必要な情報Ｂを表示した部分との間には、挿入規制線６ａが引かれている。そして、第１ラベル６を外殻２の上面２ｅに貼付するに際し、図１（Ａ）に示すように、挿入規制線６ａが逆差し防止突起４の前端縁と前後方向においてほぼ一致する位置となるように貼付する。このため、作業者は、ネットワーク中継器１のネットワーク中継器収納空間１０６への挿入に際し、ネットワーク中継器１の第１ラベル６に引かれた挿入規制線６ａがネットワーク中継器収容凹部１０４の左端壁１０４ａに至るところまでネットワーク中継器１を押し込めば挿入量不足を解消することができる。
【００３３】
また、ネットワーク中継器１を室内機１００から取り外すときには、作業者がネットワーク中継器１の上面２ｅに形成された指掛け部３に指を掛けてネットワーク中継器１をネットワーク中継器収納空間１０６から引き出せばよい。これにより、ネットワーク中継器収納空間１０６に配置された雄型コネクタ１０７とネットワーク中継器１の雌型コネクタ部８との嵌合が解除され、ネットワーク中継器１と制御基板との接続状態が解除され、ネットワーク中継器１を室内機１００から取り外すことができる。
【００３４】
以上、本発明の実施形態について説明してきたが、本発明はこれに限定されずに種々の変更、改良を行うことができる。
例えば、指掛け部３は、外殻２の上面２ｅに設けられているが、外殻２の下面２ｆに設けられてもよい。この場合、指滑り止め部５は、外殻２の上面２ｅに設けると良い。
また、指掛け部３は、外殻２の上面２ｅから突出している必要は必ずしもなく、当該上面２ｅの一部を凹ませることで、指掛け部３を形成してもよい。
【００３５】
また、外殻２の下面２ｆは、外殻２の外側に指滑り止め部５を有する必要は必ずしもない。また、指滑り止め部５を形成する場合、外殻２の下面２ｆから外殻２の内側に凹んだ凹み部５１と凸部５２とにより形成される必要は必ずしもなく、外殻２の下面２ｆから突出するようにしてもよく、また、外殻２の指滑り止め部５に静止摩擦係数の高いシート状の部材を取り付けるようにしてもよい。
また、逆差し防止突起４を必ずしも設けなくても良い。
【符号の説明】
【００３６】
１  ネットワーク中継器
２  外殻
２ａ  前面
２ｂ  後面
２ｃ  右側面
２ｄ  左側面
２ｅ  上面（一方の面）
２ｆ  下面（他方の面）
３  指掛け部
４  逆差し防止突起
５  指滑り止め部
６  第１ラベル
７  第２ラベル
８  コネクタ部
９  電子部品
１０  室内機
１１  筐体
１２  壁部
１２ａ  ネットワーク中継器収納空間
１２ｂ  過度挿入規制部
１３  前面パネル
１４  カバー部材
１４ａ  底部
１４ｂ  開口部
１４ｃ  段差部
１４ｄ  貫通溝
５１  凹み部
５２  凸部
１００  室内機
１０１  筐体
１０２  壁部
１０３  前面パネル
１０４  ネットワーク中継器収容凹部
１０４ａ  左端壁
１０５  開口部
１０６  ネットワーク中継器収納空間
１０７  コネクタ
Ａ  取り付け前に必要な情報
Ｂ  取り付け後に必要な情報
【図１】
2020020519.tif 000003
【図２】
2020020519.tif 000004
【図３】
2020020519.tif 000005
【図４】
2020020519.tif 000006
【図５】
2020020519.tif 000007
【図６】
2020020519.tif 000008
【図７】
2020020519.tif 000009
【図８】
2020020519.tif 000010
【図９】
2020020519.tif 000011
【図１０】
2020020519.tif 000012
【図１１】
2020020519.tif 000013
【図１２】
2020020519.tif 000014
【図１３】
2020020519.tif 000015
【図１４】
2020020519.tif 000016
【図１５】
2020020519.tif 000017
【図１６】
2020020519.tif 000018
【図１７】
2020020519.tif 000019
【図１８】
2020020519.tif 000020
【図１９】
2020020519.tif 000021
【図２０】
2020020519.tif 000022